(57)【要約】【課題】、ユーザの注意をより強く喚起することのできる、視覚効果の高い画像を表示可能な画像表示装置を提供する。【解決手段】画像信号に基づく画像を、奇数フィールドの画像と偶数フィールドの画像を交互に表示することによってモニタ２に表示するテレビ放送表示装置１００が、モニタ２は、文字を表示してなる文字表示領域９４と、文字表示領域９４の背景となる、ハイライト表示されるハイライト表示領域９５と、を備え、ハイライト表示領域９５の奇数フィールドと、ハイライト表示領域９５の偶数フィールドの何れか一方のみをハイライト表示してなる表示制御手段（ＣＰＵ１１）と、文字表示領域９４を点滅表示してなる点滅表示制御手段（ＣＰＵ１１）とを備える。【選択図】図１
2006215137.tif 000002
【特許請求の範囲】
【請求項１】
画像信号に基づく画像を、奇数フィールドの画像と偶数フィールドの画像を交互に表示することによって表示部に表示する画像表示装置において、
前記表示部は、文字を表示してなる文字表示領域と、当該文字表示領域の背景となる、ハイライト表示されるハイライト表示領域と、を備え、
前記ハイライト表示領域の奇数フィールドと、前記ハイライト表示領域の偶数フィールドの何れか一方のみをハイライト表示してなる表示制御手段と、
前記文字表示領域を点滅表示してなる点滅表示制御手段と、を備えることを特徴とする画像表示装置。
【請求項２】
画像信号に基づく画像を、奇数フィールドの画像と偶数フィールドの画像を交互に表示することによって表示部に表示する画像表示装置において、
前記表示部における、ハイライト表示されるハイライト表示領域の奇数フィールドと、前記ハイライト表示領域の偶数フィールドとに、異なる画像を表示させる表示制御手段を備えることを特徴とする画像表示装置。
【請求項３】
請求項２に記載の画像表示装置において、
前記表示制御手段は、前記表示部における、ハイライト表示されるハイライト表示領域の奇数フィールドと、前記ハイライト表示領域の偶数フィールドの何れか一方のみをハイライト表示させることを特徴とする画像表示装置。
【請求項４】
請求項２又は３に記載の画像表示装置において、
前記表示部は、文字を表示してなる文字表示領域と、当該文字表示領域の背景となるハイライト表示領域と、を備え、
前記文字表示領域を点滅表示させる点滅表示制御手段を備えることを特徴とする画像表示装置。
【発明の詳細な説明】
【技術分野】
【０００１】
本発明は、画像表示装置に関する。
【背景技術】
【０００２】
従来、テレビのモニタや、パーソナルコンピュータ（以下、「パソコン」という。）のディスプレイなどの表示部に表示される画像において、画像の指定領域にハイライトを施すことによってユーザの注意を喚起する方法が知られている（例えば、特許文献１参照）。
【０００３】
ところで、テレビのＣＲＴモニタは、例えば、管面とアパーチャグリル等を備えて構成され、管面にはＲ（赤）、Ｇ（緑）、Ｂ（青）の３色の蛍光体が塗布されている。管面上で横方向一列に並ぶＲＧＢの蛍光体の並びをラインといい、当該ラインが縦方向に連続的に配置されることにより蛍光面が成形される。
【０００４】
モニタに表示される画像は、モニタの蛍光面を構成する蛍光体に、電子ビームを照射し、ＲＧＢ各蛍光体を発光させることによって再生される。具体的には、例えば、蛍光体によって構成される１ラインの左端から電子ビームを照射し、右端に達したら、次の１ラインの左側へ電子ビームを移動させることにより電子ビームの照射が行われ、高速で全ての蛍光体を走査する処理を、画像データに基づいて繰り返し行うことにより画像が再生される。
【０００５】
ここで、画像を表示する方式の一つとして、インタレース方式と呼ばれる表示方式が知られている。インタレース方式とは、電子ビームによる２回の走査で１枚の画像（フレーム）を表示する方式であって、具体的には、例えば、１回目の走査で蛍光面を構成するラインを１行飛ばしに、例えば奇数番号のラインのみを処理して半分の情報を表示し、２回目の走査で偶数番号のラインを処理して残りの半分の情報を表示する方式である。このとき、奇数番号のラインで表示される領域を奇数フィールドといい、偶数番号のラインで表示される領域を偶数フィールドという。従って、奇数フィールドに表示される画像と、偶数フィールドに表示される画像が組み合わさってフレームが表示される。
【０００６】
インタレース方式において、ハイライト表示したいハイライト表示領域をハイライト表示する方法は、奇数フィールドと偶数フィールドのいずれの領域においても、ハイライト表示領域の色を当該ハイライト表示領域の周囲の領域の色と異ならせることにより際立たせるものであった。
【特許文献１】特開２０００−２７００７５号公報
【発明の開示】
【発明が解決しようとする課題】
【０００７】
しかしながら、ハイライト表示領域と当該ハイライト表示領域の周辺領域の色の差異を利用してハイライト表示領域を際立たせる方法によっては、ハイライト表示領域の画像の色は周辺領域における画像の色とは異なるものの、当該領域における画像は常時一定の色であり、変化しないため、ユーザの注意を充分に喚起することができなかった。
【０００８】
そこで、本発明の課題は、ユーザの注意をより強く喚起することのできる、視覚効果の高い画像を表示可能な画像表示装置を提供することである。
【課題を解決するための手段】
【０００９】
以上の課題を解決すべく、請求項１に記載の発明は、画像信号に基づく画像を、奇数フ
ィールドの画像と偶数フィールドの画像を交互に表示することによって表示部に表示する画像表示装置において、前記表示部は、文字を表示してなる文字表示領域と、当該文字表示領域の背景となる、ハイライト表示されるハイライト表示領域と、を備え、前記ハイライト表示領域の奇数フィールドと、前記ハイライト表示領域の偶数フィールドの何れか一方のみをハイライト表示してなる表示制御手段と、前記文字表示領域を点滅表示してなる点滅表示制御手段と、を備えることを特徴とする。
【００１０】
ここで、「何れか一方のみをハイライト表示してなる」とは、例えば、偶数フィールドと奇数フィールドのうち、一方のフィールドに表示される画像の彩度、明度又は色相若しくはこれらを含む色を、他方のフィールドに表示される画像の彩度、明度又は色相若しくはこれらを含む色よりも強調した、彩度、明度又は色相若しくはこれらを含む色で表示することを意味する。
【００１１】
請求項２に記載の発明は、画像信号に基づく画像を、奇数フィールドの画像と偶数フィールドの画像を交互に表示することによって表示部に表示する画像表示装置において、前記表示部における、ハイライト表示されるハイライト表示領域の奇数フィールドと、前記ハイライト表示領域の偶数フィールドとに、異なる画像を表示させる表示制御手段を備えることを特徴とする。
【００１２】
請求項３に記載の発明は、請求項２に記載の画像表示装置において、前記表示制御手段は、前記表示部における、ハイライト表示されるハイライト表示領域の奇数フィールドと、前記ハイライト表示領域の偶数フィールドの何れか一方のみをハイライト表示させることを特徴とする。
【００１３】
請求項４に記載の発明は、請求項２又は３に記載の画像表示装置において、前記表示部は、文字を表示してなる文字表示領域と、当該文字表示領域の背景となるハイライト表示領域と、を備え、前記文字表示領域を点滅表示させる点滅表示制御手段を備えることを特徴とする。
【発明の効果】
【００１４】
請求項1に記載の発明によると、ハイライト表示領域の奇数フィールドと偶数フィール
ドの何れか一方のみがハイライト表示されるので、ハイライト表示が、奇数フィールドと偶数フィールドの表示間隔で表示されることとなる。
【００１５】
これにより、ハイライト表示が高速で点滅表示されるため、偶数フィールドの画像と奇数フィールドの画像との差異が際立ち、ハイライト表示領域を際立たせることができることとなって、ユーザの注意をより強く喚起することができ、視覚効果の高い画像とすることができる。
【００１６】
また、文字表示領域が点滅して表示されることによって、ハイライト表示領域と、当該ハイライト表示領域を背景とする文字表示領域の表示パタンが異なることとなり、ハイライト表示領域と文字表示領域とを明確に区別することができ、文字表示領域に対してユーザの注意をさらに強く喚起することができ、視覚効果の高い画像とすることができる。
【００１７】
請求項２に記載の発明によると、表示部における、ハイライト表示されるハイライト表示領域の奇数フィールドと、ハイライト表示領域の偶数フィールドとに異なる画像が表示させるので、奇数フィールドと偶数フィールドの表示間隔で交互に異なる画像が表示されることとなる。
【００１８】
これにより、偶数フィールドの画像と奇数フィールドの画像との差異が際立ち、ハイライト表示領域を際立たせることができることとなって、ユーザの注意をより強く喚起することができ、視覚効果の高い画像とすることができる。
【００１９】
請求項３に記載の発明によると、表示部における、ハイライト表示されるハイライト表示領域の奇数フィールドと偶数フィールドの何れか一方のみがハイライト表示されるので、ハイライト表示が、奇数フィールドと偶数フィールドの表示間隔で表示されることとなる。
【００２０】
これにより、ハイライト表示が高速で点滅表示されるため偶数フィールドの画像と奇数フィールドの画像との差異がより際立ち、ハイライト表示領域をより際立たせることができることとなって、ユーザの注意をより強く喚起することができ、視覚効果の高い画像とすることができる。
【００２１】
請求項４に記載の発明によると、請求項２又は３に記載の発明の効果が得られるのは無論のこと、特に、文字表示領域が点滅して表示されることによって、ハイライト表示領域と、当該ハイライト表示領域を背景とする文字表示領域の表示パタンが異なることとなり、ハイライト表示領域と文字表示領域とを明確に区別することができ、文字表示領域に対してユーザの注意をさらに強く喚起することができ、視覚効果の高い画像とすることができる。
【発明を実施するための最良の形態】
【００２２】
次に、本発明の最良の実施形態を、図面を参照しながら詳細に説明する。ただし、発明の範囲は図示例に限られない。
【００２３】
以下に、本発明の画像表示装置について、放送電波を受信するテレビ放送表示装置１００を使って説明する。
【００２４】
図１に示すように、画像表示装置としてのテレビ放送表示装置１００は、送信局（非図示）から送信される放送電波を受信し、この放送電波からテレビ番組の音声信号と画像信号を取得する信号処理装置１と、信号処理装置１より出力された画像信号に基づいて画像を表示する、表示部としてのモニタ２と、信号処理装置１より出力された音声信号に基づいて音声を出力するスピーカ３と、等を備えて構成される。
【００２５】
また、テレビ放送表示装置１００においては、所定の項目について、ユーザがパラメータを設定することができる。所定の項目としては、例えば、言語（Ｌａｎｇｕａｇｅ）、表示（Ｄｉｓｐｌａｙ）、音声（Ａｕｄｉｏ）、その他（Ｏｔｈｅｒｓ）等であって、これらの項目についてパラメータの設定を変更する際には、モニタ２に、当該項目が選択可能な状態でメニュー画像として表示される。
【００２６】
まず、モニタ２ついて説明する。モニタ２は、何れも図示しない、３本の電子ビームを照射する電子銃と、電子銃の電子ビーム照射口近傍に設けられ、電子銃より照射された電子ビームの進行方向を変化させる偏光ヨークと、偏光ヨークによって進行方向が曲げられた電子ビームが移動する真空空間を形成するチューブと、表面に反射防止処理や帯電防止処理が施され、裏面にＲＧＢの３色の蛍光体が塗布されてなる管面と、３本の電子ビームと３色の蛍光体を正確に対応させるためのマスクとしてのアパーチャグリルと、等を備えて構成される。
【００２７】
画像信号に基づいて、管面に設けられたＲＧＢの蛍光体が順次発光することによりモニタ２に画像が表示される。具体的には、電子銃より照射され、偏光ヨークによって進行方向が調整された電子ビームが、チューブ内部を直進し、アパーチャグリルを通過して蛍光体にぶつかることにより、蛍光体が発光し、管面に塗布された所定の蛍光体が発光することにより１枚の画像（フレーム）が表示される。さらに、フレームが連続的に表示されることにより、複数のフレームからなる画像が再生される。
【００２８】
管面に設けられた、横方向一列の蛍光体の並びをラインといい、当該ラインが縦方向に連続的に配置されることにより蛍光面が形成され、各ラインには例えば１から順番にライ
ン番号が割付けられる。電子ビームの照射はライン毎に行われ、例えば、１回目の走査処理で奇数ラインのみを照射して画像信号の半分の情報を含む画像を表示し、２回目の走査処理で偶数ラインのみを照射して画像信号の残りの半分の情報を含む画像を表示し、これらの２枚の画像を合成することによって１枚の画像を構成する。このように、奇数ラインと偶数ラインとを別々に表示して１枚の画像を構成する再生方式を、インタレース方式という。ここで、奇数ラインを構成する蛍光体によって表示される領域を奇数フィールドといい、偶数ラインを構成する蛍光体によって表示される領域を偶数フィールドという。奇数フィールドと偶数フィールドは、約１／６０秒毎に交互に表示され、即ち、奇数フィールドの画像と偶数フィールドの画像によって、１／３０秒毎に１枚の画像が構成される。
【００２９】
図２は、モニタ２に表示されるメニュー画像９０の一例である。
【００３０】
図２に示すように、メニュー画像９０は、第１の壁紙領域９１と、第１の壁紙領域９１に表示される、例えば、［ＳＥＬＥＣＴ：▲／▼］や、［ＳＥＴ：ＥＮＴＥＲ］、［ＥＸＩＴ：ＳＥＴＵＰ］、［ＣＡＮＣＥＬ：ＲＥＴＵＲＮ］等、所定の処理と当該処理を実行するための操作方法を示す操作方法表示領域９２と、第１の壁紙領域９１に表示される、第２の壁紙領域９３と、等を備える。
【００３１】
さらに、第２の壁紙領域９３は、例えば、［Ｌａｎｇｕａｇｅ］や［Ｄｉｓｐｌａｙ］、［Ａｕｄｉｏ］、［Ｏｔｈｅｒｓ］等、パラメータを設定可能な項目が文字として表示される文字表示領域９４を備える。文字表示領域９４に表示される項目のうち、選択状態にある項目（例えば、図２における［Ｌａｎｇｕａｇｅ］）は、点滅表示される。
【００３２】
そして、ハイライト表示されてなるハイライト表示領域９５によって、選択状態にある項目の背景が構成される。
【００３３】
ここで、点滅表示とハイライト表示の各表示について、図２に示すメニュー画像９０の第２の壁紙領域９３を例に挙げて、図３〜図７を用いて説明する。
【００３４】
まず、インタレース方式においては、一組の奇数フィールドと偶数フィールドの画像によって１枚の画像が構成される。従って、第２の壁紙領域９３の画像を奇数フィールドの画像と偶数フィールドの画像に分割すると、図３（奇数フィールドの画像）及び図４（偶数フィールドの画像）に示す画像となる。
【００３５】
図３及び図４に示すように、ハイライト表示領域９５においては、奇数フィールドと偶数フィールドには異なる画像が表示される。より具体的には、奇数フィールドにおいては、ハイライト表示領域９５の画像が、第２の壁紙領域９３に比較して、当該領域を強調可能な色で表示され、偶数フィールドにおいては、ハイライト表示領域９５の画像は、第２の壁紙領域と同一の色によって表示される。本実施形態においては、偶数フィールドのハイライト表示領域９５が第２の壁紙領域の色と同色のグレーで表示され、奇数フィールドのハイライト表示領域９５が白で表示される。
【００３６】
従って、奇数フィールドと偶数フィールドが１／６０秒毎に交互に表示されることによって、ハイライト表示領域９５の色が、白からグレーに、又はグレーから白に高速で変化することとなる。これにより、ハイライト表示領域９５における奇数フィールドと偶数フィールドの色の差異、即ち、グレーと白の色の差異が際立ち、ユーザの注意を喚起可能な画像とすることができる。
【００３７】
ハイライト表示領域９５は、例えば座標を用いることによって指定することができる。即ち、ハイライト表示領域９５として指定する領域の四隅の座標を予め設定し、操作部２０（後述する）等を介してテレビ放送表示装置１００に入力し、座標ファイルとして、例えばＥＥＰＲＯＭ１４に記憶させることにより用いることができる。
【００３８】
一方、図５は、図２の画像の次に表示される画像である。図５の画像を奇数フィールド
（図６）と偶数フィールド（図７）に分解した。図３及び図４と同様に、奇数フィールドのハイライト表示領域９５は白で表示され、偶数フィールドのハイライト表示領域９５はグレーで表示される。
【００３９】
ここで、奇数フィールドと偶数フィールドの何れにも［Ｌａｎｇｕａｇｅ］の文字を表示しないことにより、メニュー画像９０に［Ｌａｎｇｕａｇｅ］の文字を表示させないことができる。
【００４０】
従って、図２のメニュー画像９０と、図５のメニュー画像９０を繰り返し表示することによって、１／３０秒間隔で［Ｌａｎｇｕａｇｅ］の文字を点滅表示させることができる。
【００４１】
次に、信号処理装置１について説明する。
【００４２】
図１に示すように、信号処理装置１は、ＣＰＵ（Central  Processing  Unit）１１と
、ＲＡＭ（Random  Access  Memory）１２と、ＲＯＭ（Read  Only  Memory）１３と、ＥＥＰＲＯＭ（Electrically Erasable Programmable ＲＯＭ）１４と、テレビアンテナ１
５と、チューナ１６と、復調部及びＦＥＣ（Forward Error Correction）部１７と、デマルチプレクサ１８と、デコーダ１９と、操作部２０と、等を備えて構成される。
【００４３】
ＣＰＵ１１は、所定のタイミング或いは操作部２０等を介して入力された指示に応じて、ＲＯＭ１３に格納された各種システムプログラムに従って、テレビ放送表示装置１００を構成する各部への指示やデータの転送等を行うことによりテレビ放送表示装置１００の動作全般を統括制御する。
【００４４】
ＲＡＭ１２は、ＣＰＵ１１のワークエリアとして用いられ、ＲＯＭ１３から読み出された各種プログラムやこれらプログラムに係るデータ等をメモリエリアに一時的に記憶する。
【００４５】
ＲＯＭ１３は、ＣＰＵ１１によって実行される各種データ処理プログラムの他、データ処理プログラムに係る各種初期設定値等を格納する。具体的には、ＲＯＭ１３は、表示制御プログラム１３１、点滅表示制御プログラム１３２、等を格納する。
【００４６】
表示制御プログラム１３１は、ハイライト表示領域９５の奇数フィールドと偶数フィールドの何れか一方のみをハイライト表示するためのプログラムであって、ＣＰＵ１１は、当該表示制御プログラム１３１を実行することにより、表示制御手段として機能する。
【００４７】
具体的には、ＣＰＵ１１は表示制御プログラム１３１を実行することによって、ハイライト表示領域９５における奇数フィールドの画像（図３参照）をハイライト表示し、ハイライト表示領域９５における偶数フィールドの画像（図４参照）を通常表示する。
【００４８】
点滅表示制御プログラム１３２は、文字表示領域９４を点滅表示させるためのプログラムであって、ＣＰＵ１１は、当該点滅表示制御プログラム１３２を実行することにより点滅表示制御手段として機能する。
【００４９】
具体的には、ＣＰＵ１１は、点滅表示制御プログラム１３２に従って、文字表示領域９４を点滅表示させる。点滅表示は、例えば、［Ｌａｎｇｕａｇｅ］の文字を表示してなる一組の奇数フィールドと偶数フィールドからなる画像（図２参照）を表示した後に、［Ｌａｎｇｕａｇｅ］の文字を表示しない一組の奇数フィールドと偶数フィールドからなる画像（図５参照）を表示することにより、所定の間隔で［Ｌａｎｇｕａｇｅ］を点滅させるものである。
【００５０】
ＥＥＰＲＯＭ１４は不揮発性の半導体メモリにより構成されており、システムプログラム、当該システムに対応する各種処理プログラム及び各種処理プログラムで処理されたデータ等が記憶されている。具体的には、ＥＥＰＲＯＭ１４は、各項目に対してハイライト
表示領域９５を指定するための座標の座標データを格納してなる座標ファイル（図示省略）を記憶する。
【００５１】
テレビアンテナ１５は送信局から送信される放送信号を受信する。放送信号は、音声信号や画像信号等を含んで構成される。
【００５２】
チューナ１６は、テレビアンテナ１５により受信された放送信号の中から特定のチャンネルの放送信号を選択し、復調部及びＦＥＣ部１７に出力する。
【００５３】
復調部及びＦＥＣ部１７は、チューナ１６から出力された放送信号を復調した後、誤り訂正処理を施してデマルチプレクサ１８に出力する。
【００５４】
デマルチプレクサ１８は、復調された放送信号から音声信号や画像信号等をそれぞれ抽出する。音声信号及び画像信号は、テレビ番組の音声や画像を与える信号であり、デジタル音声信号とデジタル画像信号からなる。デマルチプレクサ１８は、音声信号、画像信号からさらにデジタル音声信号とデジタル画像信号とを分離抽出する。次いで、デジタル音声信号、デジタル画像信号をデコーダ１９に出力する。
【００５５】
デコーダ１９は、デマルチプレクサ１８から入力されたデジタル音声信号をアナログ音声信号にデコードして、スピーカ２に出力する。また、デマルチプレクサ１８から入力したデジタル画像信号を展開、デコードしてＲＧＢ信号を取得するとともに、このＲＧＢ信号をモニタ２に出力する。
【００５６】
操作部２０は、操作パネルやリモコン（図示省略）等の入力素子を備えている。ユーザがこれらの入力素子を用いてカーソル操作、アイコン指定、数字入力といった操作を行うことによって、番組の再生、停止、録画、予約、メニュー画像における項目の選択、パラメータの設定等の各種処理の実行を指示する指示データが入力され、操作部２０は、入力された指示データをＣＰＵ１１に出力する。
【００５７】
スピーカ３は、デコーダ１９から出力されたアナログ音声信号に基づいて、所定の音声を出力する。
【００５８】
次に、図８のフローチャートを用いて、テレビ放送表示装置１００によるハイライト表示処理について説明する。尚、本処理においては、操作部２０を介して、テレビ放送表示装置１００の設定項目としての言語［Ｌａｎｇｕａｇｅ］を選択する場合のハイライト表示処理を例に挙げて説明する。
【００５９】
まず、メニュー画像９０を表示する旨の指示が操作部２０を介してテレビ放送表示装置１００に入力されると（ステップＳ１）、ＣＰＵ１１は、モニタ２にメニュー画像９０を表示する。
【００６０】
次いで、ＣＰＵ１１は、［Ｌａｎｇｕａｇｅ］、［Ｄｉｓｐｌａｙ］、［Ａｕｄｉｏ］、［Ｏｔｈｅｒｓ］のうち、何れかの項目が選択されたか否かを判断する（ステップＳ２）。
【００６１】
ＣＰＵ１１が、何れかの設定項目が選択されたと判断すると（ステップＳ２；Ｙｅｓ）、ＲＯＭ１３より、表示制御プログラム１３１を読み出し、また、ＥＥＰＲＯＭ１４より座標ファイルを読み出して、ＲＡＭ１２の所定のワークスペースに展開して実行することにより、座標ファイルより、座標データを取得し、選択された項目のハイライト表示領域９５を指定するための座標を決定して、これに基づきハイライト表示領域９５のハイライ
ト表示を実行し（ステップＳ３）、次ステップに移行する。
【００６２】
一方、ＣＰＵ１１が、何れの項目も選択されていないと判断すると（ステップＳ２；Ｎｏ）、ＣＰＵ１１は項目が設定されたか否かを繰り返し確認する。
【００６３】
ステップＳ４においては、ＣＰＵ１１は、ＲＯＭ１３より点滅表示プログラム１３２を読み出し、ＲＡＭ１２の所定のワークスペースに展開して実行することにより、選択された項目の文字表示領域９４を点滅させて（ステップＳ４）、本ハイライト表示処理を終了する。
【００６４】
以上に説明したテレビ放送表示装置１００においては、モニタ２に表示されるハイライト表示領域９５の奇数フィールドと偶数フィールドの何れか一方のみがハイライト表示されるので、ハイライト表示が、奇数フィールドと偶数フィールドの表示間隔で表示されることとなる。これにより、ハイライト表示が高速で点滅表示されるため偶数フィールドの画像と奇数フィールドの画像との差異がより際立ち、ハイライト表示領域９５をより際立たせることができることとなって、ユーザの注意をより強く喚起することができ、視覚効果の高いメニュー画像９０とすることができる。
【００６５】
また、文字表示領域９４が点滅して表示されることによって、ハイライト表示領域９５と、当該ハイライト表示領域９５を背景とする文字表示領域９４の表示パタンが異なることとなり、ハイライト表示領域９５と文字表示領域９４とを明確に区別することができ、文字表示領域９４に対してユーザの注意をさらに強く喚起することができ、視覚効果の高い画像とすることができる
尚、ハイライト表示領域９５における奇数フィールドと偶数フィールドの画像は、必ずしも偶数フィールドの画像を第２の壁紙領域９３と同色とする必要はなく、偶数フィールドの画像と奇数フィールドの画像とに異なる画像が表示されていれば足りる。従って、例えば、第２の壁紙領域９３の色がグレーである場合に、奇数フィールドの画像の色を白として、偶数フィールドの画像の色を赤に設定することとしても構わない。各フィールドに配する色は、特に限定されるものではない。
【００６６】
また、文字表示領域９４の点滅表示のタイミングを１／３０秒毎としたが、点滅のタイミングはこれに限られるものではなく、例えば１／１５秒毎や、１／１０秒毎等であっても構わない。
【図面の簡単な説明】
【００６７】
【図１】テレビ放送表示装置１００の内部構成を示すブロック図である。
【図２】メニュー画像９０を説明するための説明図である。
【図３】第２の壁紙領域９３の奇数フィールドの画像を説明するための説明図である。
【図４】第２の壁紙領域９３の偶数フィールドの画像を説明するための説明図である。
【図５】メニュー画像９０を説明するための説明図である。
【図６】第２の壁紙領域９３の奇数フィールドの画像を説明するための説明図である。
【図７】第２の壁紙領域９３の偶数フィールドの画像を説明するための説明図である。
【図８】テレビ放送表示装置１００によるハイライト表示処理を説明するためのフローチャートである。
【符号の説明】
【００６８】
１  信号処理装置
１１  ＣＰＵ（表示制御手段、点滅表示制御手段）
１２  ＲＡＭ
１３  ＲＯＭ
１３１  表示制御プログラム
１３２  点滅表示制御プログラム
２  モニタ（表示部）
３  スピーカ
９０  メニュー画像
９４  文字表示領域
９５  ハイライト表示領域
１００  テレビ放送表示装置（画像表示装置）
【図１】
2006215137.tif 000003
【図２】
2006215137.tif 000004
【図３】
2006215137.tif 000005
【図４】
2006215137.tif 000006
【図５】
2006215137.tif 000007
【図６】
2006215137.tif 000008
【図７】
2006215137.tif 000009
【図８】
2006215137.tif 000010